(57)【要約】      （修正有）【課題】羽根車の押え金物の締・緩とポンプ軸の拘束を全て軸端側で作業可能の羽根車着・脱作業機構を提供する。【解決手段】羽根車押え金物１６にキー溝を施して羽根車軸のキー１２を共用し、該押え金物の外周に六角又は切欠きの工具掛りを設けて、軸端にネジ穴又は延長ネジ軸を施す。【選択図】図１
0003166335.tif 000002
【実用新案登録請求の範囲】
【請求項１】
羽根車ボスの軸端側の押え金物に羽根車軸のキーを共用し且つ押え金物の外周に六角又は切欠きの工具掛りを施してポンプ軸の拘束と、羽根車装着の軸端にネジ穴を施してボルトで押え金物の締・緩を、羽根車の引抜きと共に、全て軸端側で作業可能に構成した渦巻ポンプの羽根車着・脱機構。
【請求項２】
羽根車ボスの軸端側の押え金物に羽根車軸のキーを共用し且つ押え金物の外周に六角又は切欠きの工具掛りを施してポンプ軸の拘束と、羽根車装着の軸端に延長ネジ軸を設けてナットで押え金物の締・緩を、羽根車の引抜きと共に、全て軸端側で作業可能に構成した渦巻ポンプの羽根車着・脱機構
【考案の詳細な説明】
【技術分野】
【０００１】  本考案は、既発明の「特願２００９−２４１１８５：電動機と一体型の渦巻ポンプ」（以下、既発明１と呼ぶ）及び「特願２００９−１６５３２７：渦巻ポンプ及びポンプユニット」（以下、既発明２と呼ぶ）の電動機一体型渦巻ポンプのように羽根車の駆動側が閉鎖構造のポンプの羽根車着・脱機構に係るものである。
【背景技術】
【０００２】  従来の渦巻ポンプは、電動機と連結の軸接手が露出しており、ポンプケーシングの軸端側を開放して羽根車の着・脱作業では、軸接手に工具を掛けてポンプ軸を拘束し、羽根車の押え金物のボルト又は押えナットを軸端側で締・緩し、羽根車の着・脱作業ができる。【０００３】  電動機とポンプ本体とをフランジ結合してポンプセット長を短縮した電動機一体型渦巻ポンプでは、羽根車の駆動軸系が全て閉鎖構造のため、押え金物のボルト又は押えナットと同様に、ポンプ軸の拘束もポンプケーシング開放の軸端側から工具を持ち入れて安全・確実に作業する必要がある。
【考案の概要】
【考案が解決しようとする課題】
【０００４】  上記の問題解決のために、羽根車の押え金物の締・緩とポンプ軸の拘束を全て軸端側で作業可能の羽根車着・脱作業機構を提供する。
【問題を解決するための手段】
【０００５】  羽根車端面に接し且つ工具を掛ける外周六角又は切欠きを付した押え板部分と、羽根車ボスに嵌入し且つキー溝を持つ短円筒部分より成る羽根車押え金物により、羽根車ボスのキーを共用して軸端側から作業の工具でポンプ軸を拘束し、ポンプ軸端にネジ穴を施しボルトで該押え金物の締・緩を可能にした羽根車着・脱作業機構を構成する。
【０００６】  上記のボルトは、大径のポンプ軸端では複数（２〜３本）の六角穴付きボルトを配し押え金物面より沈み頭で羽根車吸引液の攪拌を局限し、中径では単数の六角ボルトの露出頭でもよく、何れもバネ座金などの緩み防止を施す。
【０００７】  これは、大型ポンプに適用してポンプ軸長を抑制し、絶縁・軸受の開放点検における電動機取外しスペースの節減に好都合である。
【０００８】  軸端が小径の中・小型ポンプでは、ネジ穴に代ってキー溝底より小径の延長ネジ軸を設け、ナットで該押え金物の締・緩を可能にする。
【０００９】  押え金物の外周に当てるポンプ軸拘束用工具（ボックススパナ又は突起工具）は、そのハンドルをケーシングカバー取付用ボルトで仮固定し、それに押えボルト用又はナット用工具（六角レンチ又はボックススパナ）を同軸装入して押え金物の締・緩作業するのが工具の安定操作に好都合である。
【００１０】  羽根車ボスはポンプ軸端に軽度の締り嵌め（Ｈ７・ｊ６）又は止り嵌め（Ｈ７・ｈ６）で装着するので、羽根車のボス端面（両吸込形）又は側板（片吸込形）にネジ穴を設け、軸端側から羽根車の引抜き工具を装着し、羽ボス端面を軽打又は温め嵌めで押込み、羽根車脱・着の作業を行う。
【考案の効果】
【００１１】  押え金物は、羽根車ボスに嵌め合いの短円筒部及び共通キーにより、遊隙なく装着されるので運転振動や流体振動に影響されず、締付けボルトやナットの緩みを生じ難い（なお、念のためバネ座金などで緩み止めする）。
【００１２】  大容量ポンプの軸端は羽根車ボス端手前までで済み、ポンプ軸長を抑制して電動機取外しスペースを節減でき、小容量ポンプでは延長ネジ軸の軸長への影響は小さい。
【００１３】  ポンプ軸端は、大径軸端の鑽孔・タッピングの他は全て旋削・キー溝加工で済むので、規格標準電動機の機械加工工程を採ることができ、小寸の押え金物は外周六角又は切欠き加工の他は旋削・鑽孔で済む。
【図面の簡単な説明】
【００１４】
【図１】  本考案の実施例１の羽根車着・脱機構を配した渦巻ポンプの側断面図
【図２】  本考案の実施例１の羽根車着脱機構の押え金物の構造姿図
【図３】  本考案の実施例２の羽根車着脱機構を配した渦巻きポンプの側断面図
【図４】  本考案の実施例２の羽根車着脱機構の押え金物の構造姿図
【図５】  本考案の実施例２の羽根車着脱機構の押え金物の別案｛要部は実施例１にも適用｝の構造姿図
【考案を実施するための形態】
【００１５】  前述の既発明１及び既発明２の電動機一体型渦巻ポンプの如き羽根車駆動部分が閉鎖構造のポンプにおいて、ポンプケーシング開放の軸端側で、軸の拘束と羽根車押え金物のボルト又はナットの締・緩により、羽根車の着・脱を手作業で可能にしたもので、以下、その実施例を図面を参照して説明する。
【実施例１】
【００１６】  図１において、本考案に係る羽根車及びポンプ軸端の周辺を示せば、ポンプケーシング１に電動機２がフランジ１ｆと２ｆにより結合され、電動機軸３が無継手延長されてポンプ軸３（符号共通）を成し、軸受４で支持され、水切鍔５を持ち、吸引流路殻６に配したボス７に軸封のメカニカルシール８を経て羽根車１０のボス１１にキー１２でポンプ軸３の軸端９に結合されている。【００１７】  ポンプケーシング１にフランジ結合のケーシングカバー１３を取外して軸端側が開放され、羽根車１０の外径よりやや大きいケーシング内殼の開口１４が現れている。【００１８】  軸端９には、図２に本考案要部の拡大図示のように、軸端９にネジ穴１５が加工され、押え金物１６とボルト１７で羽根車ボス１１を締付けバネ座金１８で緩み止め、押え金物１６は外周六角又は後述図５の如き円形切欠き付きの押え板部１６ｐと羽根車ボス１１に嵌入且つキー溝１６ｋをＡ−Ａ矢視図のように施した短円筒部１６ｃとで一体構成し、羽根車ボス１１のキー１２を共用している。【００１９】  したがって、羽根車１０の装着状態では、押え金物１６は羽根車ボス１１と共にキー１２で軸端９に嵌め合い結合され、ボルト１７を軸端９のネジ穴１５にネジ込み締付けられて電動機３の起動トルクやポンプの運転振動での慣性ずれなく一体化し、羽根車１０の着・脱作業では、押え金物１６の外周六角又は切欠きに掛る工具１９によりポンプ軸３を拘束し、工具２０でボルト１７を締・緩して羽根車１０の着・脱作業が可能である。【００２０】  押え金物１６の押え板部１６ｐは、複数のボルト１７の場合は、六角穴付きボルトを使用し押え板部１６ｐを厚くして沈み頭とし（図示省略）、羽根車１０の吸引液の攪拌抵抗を避けることができる。【００２１】  中空の工具１９のハンドル（図示省略）は、ケーシングカバー１３の取付ボルト２１を利用して仮固定し、工具１９に同軸装入の工具２０（ハンドル部は図示省略）で締・緩作業するのが安全・確実である。【００２２】  羽根車ボス１１の端面にネジ穴２２を施し、押え金物１６を取外して引抜き工具（図示省略）を装着し羽根車１０を軸端９より取外すことができる。
【実施例２】
【００２３】  図３において本考案に掛る羽根車１０及びポンプ軸端９の周辺と、図４に本考案要部の拡大図示において、軸端９の延長ネジ軸２３及びナット２４を実施例１のネジ穴１５及びボルト１７の代りに配し、押え金物１６で羽根車ボス１１の締・緩する他は、実施例１と同様である。【００２４】  延長ネジ軸２３のネジ径は、軸端９のキー溝底まで採れるので実施例１の軸端ネジ穴１５より大きくでき、中・小容量ポンプに適用するのがよい。【００２５】  中・小容量ポンプでは、羽根車１０は片吸込形が使用されその吸込内径を小さく採りボス１１の端面径が制約されるので、図５に示すように、押え金物１６の外周は円形で工具１９が掛る切欠きを施し（軸端９の径が大きい前述実施例１にも適用可能）、羽根車１０の側板２５の厚肉部に引抜き用ネジ穴を羽根端を避けて施すのがよい（このネジ穴は、羽根車１０の側板２５の両面の液圧を平衡させ、軸３の推力軽減に資する）。
【産業上の利用の可能性】
【００２６】  従来の渦巻ポンプの省スペース、部品点数節減・構造簡潔且つ軸端側を開放して保守正面とする既発明１及び既発明２の電動機一体型渦巻ポンプの特徴を、本考案の羽根車着・脱機構で完結的にし、特に船舶機関部の大・中口径の海水・清水・潤滑油系統の補機として適用し、陸上汎用ポンプにも用途拡張を期する。
【符号の説明】
【００２７】１  ポンプ本体、ポンプケーシング        １ｆ  結合フランジ
２  電動機                              ２ｆ  結合フランジ
３  電動機軸、ポンプ軸                  ４  軸受
５  水切鍔                              ６  流路内殻
７  軸封ボス                            ８  軸封シール、メカニカルシール
９  軸端                                １０  羽根車
１１  羽根車ボス                        １２  キー
１３  ケーシングカバー                  １４  ケーシング内殻開口
１５  軸端ネジ穴                        １６  押え金物
１６ｐ  押え板部                        １６ｃ  短円筒部
１６ｋ  キー溝底部                      １７  押えボルト、ボルト
１８  バネ座金                          １９  軸拘束用工具、工具
２０  締・緩用工具、工具                ２１  ケーシングカバー用ボルト、ボルト
２２  ボス引抜き用ネジ穴、ネジ穴        ２３  延長ネジ軸
２４  押えナット、ナット                ２５  羽根車側板、側板
【図１】
0003166335.tif 000003
【図２】
0003166335.tif 000004
【図３】
0003166335.tif 000005
【図４】
0003166335.tif 000006
【図５】
0003166335.tif 000007